(57)【要約】【課題】カスタマイズされた光ディスク装置であることをユーザが容易に認識できるようにする。【解決手段】光ディスク装置１がユーザによりカスタマイズされた場合、カスタマイズ用のパラメータはシステムコントローラ３２によりフラッシュＲＯＭ３３に記憶される。システムコントローラ３２は、ＰＣ２等のホスト装置の起動時に問い合わせコマンドを受信すると、フラッシュＲＯＭ３３の内容を確認してカスタマイズ済みであることを示すコマンドを返信する。ＰＣ２は、システムコントローラ３２からのコマンドを受信し、表示装置にカスタマイズ済みであることを特定の記号等で表示する。【選択図】        図１
2004348915.tif 000002
【特許請求の範囲】
【請求項１】
光ディスク装置と、
前記光ディスク装置に接続された処理装置であって、前記光ディスク装置に対する問い合わせコマンドを送信し、前記問い合わせコマンドに応じて前記光ディスク装置から返信されたカスタマイズ済みを示すコマンドを受信し、前記光ディスク装置がカスタマイズ済みであることを表示部に表示する処理装置と、
を有することを特徴とする光ディスク装置を備えた処理システム。
【請求項２】
請求項１記載のシステムにおいて、
前記光ディスク装置は、カスタマイズ用のパラメータを記憶する不揮発性メモリを有し、前記処理装置からの問い合わせコマンドに応じて前記不揮発性メモリにアクセスし、デフォルト値と異なるパラメータが記憶されている場合に前記カスタマイズ済みを示すコマンドを送信することを特徴とする光ディスク装置を備えた処理システム。
【発明の詳細な説明】
【０００１】
【発明の属する技術分野】
本発明は光ディスク装置を備えた処理システムに関し、特にユーザカスタマイズ可能な光ディスク装置を備えるシステムに関する。
【０００２】
【従来の技術】
従来より、デスクトップ型コンピュータやノート型コンピュータ等のコンピュータには、ＣＤやＤＶＤ等の光ディスクを記録／再生する光ディスク装置が組み込まれ、あるいはＵＳＢ等のインタフェースにより接続されている。コンピュータ起動時には、コンピュータのＢＩＯＳが光ディスク装置等の周辺デバイスを認識して表示装置に表示する。
【０００３】
一方、近年においては、光ディスク装置の高機能化とともにユーザの要求も多様化しており、例えば光ディスク装置でＤＶＤビデオを再生する際には回転速度を低下させて風切音等を抑制したいと欲するユーザも少なくなく、このような場合にユーザは光ディスク装置をカスタマイズして使用することになる。
【０００４】
下記に示す従来技術には、ＦＤＤにおいてディップスイッチを設けて種々の設定を可能とするとともに、情報データテーブルによりディップスイッチの設定状態に対する動作モードを登録し、オペレータがモニタで確認できる技術が記載されている。
【０００５】
【特許文献１】
特開２００１−１４０５５号公報
【０００６】
【発明が解決しようとする課題】
しかしながら、上記従来技術では、ＦＤＤの設定をモニタで確認できるにすぎず、光ディスク装置の場合について開示されていない。また、多くの光ディスク装置ではディップスイッチが設けられておらず、情報データテーブルをそのまま用いることもできない。
【０００７】
本発明の目的は、光ディスク装置の状態、特にカスタマイズの有無をユーザが容易に確認できる処理システムを提供することにある。
【０００８】
【課題を解決するための手段】
本発明のシステムは、光ディスク装置と、前記光ディスク装置に接続された処理装置であって、前記光ディスク装置に対する問い合わせコマンドを送信し、前記問い合わせコマンドに応じて前記光ディスク装置から返信されたカスタマイズ済みを示すコマンドを受信し、前記光ディスク装置がカスタマイズ済みであることを表示部に表示する処理装置とを有することを特徴とする。光ディスク装置がユーザによりカスタマイズされている場合、光ディスク装置は処理装置からの問い合わせコマンドに応じてカスタマイズ済みであることを示すコマンドを返信する。処理装置は、光ディスク装置からのコマンドを受信し、カスタマイズ済みであることを認識して表示部に表示する。
【０００９】
本発明において、前記光ディスク装置は、カスタマイズ用のパラメータを記憶する不揮発性メモリを有し、前記処理装置からの問い合わせコマンドに応じて前記不揮発性メモリにアクセスし、デフォルト値と異なるパラメータが記憶されている場合に前記カスタマイズ済みを示すコマンドを送信することが好適である。
【００１０】
本発明において、光ディスク装置にはＣＤ−ＲＯＭドライブやＣＤ−Ｒ／ＲＷドライブ、ＤＶＤ−ＲＯＭドライブ、ＤＶＤ−Ｒ／ＲＷドライブ、ＤＶＤ−ＲＡＭドライブ等が含まれる。また、処理装置にはパーソナルコンピュータが含まれる。
【００１１】
【発明の実施の形態】
以下、図面に基づき本発明の実施形態について、光ディスク装置１を備えるパーソナルコンピュータ（ＰＣ）システムを例にとり説明する。
【００１２】
図１には、本実施形態に係るシステムの全体構成図が示されている。本システムは、ユーザカスタマイズ可能な光ディスク装置１と、この光ディスク装置１に接続されたホスト装置としてのＰＣ２から構成される。
【００１３】
まず、光ディスク装置１について説明する。
【００１４】
ＣＤやＤＶＤ等の光ディスク１０はトレイに装着され、スピンドルモータ（ＳＰＭ）１２により回転駆動される。スピンドルモータＳＰＭ１２は、ドライバ１４で駆動され、ドライバ１４はサーボプロセッサ３０により所望の回転速度となるようにサーボ制御される。光ディスク１０は、図示しないトレイ排出機構により装置外部に排出され、あるいは装置内部に引き込まれる。
【００１５】
光ピックアップ１６は、レーザ光を光ディスク１０に照射するためのレーザダイオード（ＬＤ）や光ディスク１０からの反射光を受光して電気信号に変換するフォトディテクタ（ＰＤ）を含み、光ディスク１０に対向配置される。光ピックアップ１６はスレッドモータ１８により光ディスク１０の半径方向に駆動され、スレッドモータ１８はドライバ２０で駆動される。ドライバ２０は、ドライバ１４と同様にサーボプロセッサ３０によりサーボ制御される。また、光ピックアップ１６のＬＤはドライバ２２により駆動され、ドライバ２２はオートパワーコントロール回路（ＡＰＣ）２４により駆動電流が所望の値となるように制御される。ＡＰＣ２４は、光ディスク１０のテストエリア（ＰＣＡ）において実行されたＯＰＣ（Ｏｐｔｉｍｕｍ  Ｐｏｗｅｒ  Ｃｏｎｔｒｏｌ）により選択された最適記録パワーとなるようにドライバ２２の駆動電流を制御する。ＯＰＣは、光ディスク１０のＰＣＡに記録パワーを複数段に変化させてテストデータを記録し、該テストデータを再生してその信号品質を評価し、所望の信号品質が得られる記録パワーを選択する処理である。
【００１６】
光ディスク１０に記録されたデータを再生する際には、光ピックアップ１６のＬＤから再生パワーのレーザ光が照射され、その反射光がＰＤで電気信号に変換されて出力される。光ピックアップ１６からの再生信号はＲＦ回路２６に供給される。ＲＦ回路２６は、再生信号からフォーカスエラー信号やトラッキングエラー信号を生成し、サーボプロセッサ３０に供給する。サーボプロセッサ３０は、これらのエラー信号に基づいて光ピックアップ１６をサーボ制御し、光ピックアップ１６をオンフォーカス状態及びオントラック状態に維持する。また、ＲＦ回路２６は、再生信号に含まれるアドレス信号をアドレスデコード回路２８に供給する。アドレスデコード回路２８はアドレス信号から光ディスク１０のアドレスデータを復調し、サーボプロセッサ３０やシステムコントローラ３２に供給する。
【００１７】
また、ＲＦ回路２６は、再生ＲＦ信号を２値化回路３４に供給する。２値化回路３４は、再生信号を２値化し、得られたＥＦＭ信号（ＣＤディスク）あるいは８−１６変調信号（ＤＶＤディスク）をエンコード／デコード回路３６に供給する。エンコード／デコード回路３６では、２値化信号をＥＦＭ復調あるいは８−１６復調及びエラー訂正して再生データを得、当該再生データをインタフェースＩ／Ｆ４０を介してパーソナルコンピュータなどのホスト装置に出力する。なお、再生データをホスト装置に出力する際には、エンコード／デコード回路３６はバッファメモリ３８に再生データを一旦蓄積した後に出力する。
【００１８】
光ディスク１０にデータを記録する際には、ホスト装置からの記録すべきデータはインターフェースＩ／Ｆ４０を介してエンコード／デコード回路３６に供給される。エンコード／デコード回路３６は、記録すべきデータをバッファメモリ３８に格納し、当該記録すべきデータをエンコードしてＥＦＭデータあるいは８−１６変調データとしてライトストラテジ回路４２に供給する。ライトストラテジ回路４２は、ＥＦＭデータを所定の記録ストラテジに従ってマルチパルス（パルストレーン）に変換し、記録データとしてドライバ２２に供給する。記録ストラテジは、例えばマルチパルスにおける先頭パルスのパルス幅や後続パルスのパルス幅、パルスデューティから構成される。記録ストラテジは記録品質に影響することから、通常はある最適ストラテジに固定される。ＯＰＣ時に記録ストラテジを併せて設定してもよい。記録データによりパワー変調されたレーザ光は光ピックアップ１６のＬＤから照射されて光ディスク１０にデータが記録される。データを記録した後、光ピックアップ１６は再生パワーのレーザ光を照射して当該記録データを再生し、ＲＦ回路２６に供給する。ＲＦ回路２６は再生信号を２値化回路３４に供給し、２値化されたＥＦＭデータあるいは８−１６変調データはエンコード／デコード回路３６に供給される。エンコード／デコード回路３６は、ＥＦＭデータあるいは８−１６変調データをデコードし、バッファメモリ３８に記憶されている記録データと照合する。ベリファイの結果はシステムコントローラ３２に供給される。
【００１９】
システムコントローラ３２は、各部の動作を制御するとともに、インタフェースＩ／Ｆ４０の状態に応じてサーボプロセッサ３０における目標回転速度やトレイ排出速度等の記録再生モードを設定する。インタフェースＩ／Ｆ４０には、トレイを排出するためのイジェクトキーやマスタ／スレーブを切り替えるためのピンが含まれ、システムコントローラ３２は例えばピンがユーザにより短絡されたか否かを検出してカスタマイズ可能状態に移行し、その後のユーザによるイジェクトキーの操作に応じて各種のモードを設定して各種パラメータをフラッシュＲＯＭ３３に記憶する。本実施形態では、フラッシュＲＯＭ３３にデフォルト状態と異なるパラメータが設定された状態をカスタマイズ状態という。なお、ユーザによるカスタマイズには、例えば以下のようなものがある。
【００２０】
（１）再生速度の低下
光ディスク装置１のシステムコントローラ３２は、デフォルト状態では装着された光ディスク１０の種類に応じた最高回転速度で光ディスク１０を駆動してデータを再生するが、回転速度を低下させてデータを再生する。
【００２１】
（２）ＤＶＤビデオの場合の再生速度の低下
システムコントローラ３２は、装着された光ディスク１０がＤＶＤビデオの場合のみ回転速度を低下させてデータを再生する。
【００２２】
（３）トレイ排出速度の調整
システムコントローラ３２は、デフォルト状態では一定の排出速度でトレイを排出するが、基準ディスク（１２ｃｍディスク）以外の光ディスク１０が装着されている場合にトレイの排出速度を低下させてトレイからの離脱を抑制する。
【００２３】
ＰＣ２を起動する際、ＰＣ２は光ディスク装置１のシステムコントローラ３２に問い合わせコマンド（例えばｉｄｅｎｔｉｆｙ  ｄｅｖｉｃｅコマンド）を送信する。このコマンドを受信したシステムコントローラ３２は、フラッシュＲＯＭ３３にアクセスしてデフォルト状態と異なるパラメータが設定されているか否かを判定する。そして、フラッシュＲＯＭ３３に前回のモード設定によりパラメータが設定されてカスタマイズ状態にある場合、システムコントローラ３２は問い合わせコマンドに対して自己のＩＤ等の他、カスタマイズ済みである旨のコマンドを返信する。システムコントローラ３２からの返信を受信したＰＣ２では、受信したコマンドを表示装置に表示する。
【００２４】
図２及び図３には、ＰＣ２の起動時における表示装置の表示画面例が示されている。図２は光ディスク装置１がカスタマイズされていない場合の表示例であり、ＣＰＵの種類やメモリ容量の他、光ディスク装置１として「ＤＶ−Ｗ５８Ｅ」等と表示される。
【００２５】
一方、図３は光ディスク装置１がカスタマイズ状態にある場合の表示例であり、光ディスク装置１として「ＤＶ−Ｗ５８Ｅ＿ＳＰ」等と表示される。「＿ＳＰ」は当該光ディスク装置１がカスタマイズ状態にあることを示す。ユーザはこの表示を視認することにより、ＰＣ２に接続されている光ディスク装置１がカスタマイズされていることを容易に認識することができる。
【００２６】
本実施形態では、フラッシュＲＯＭ３３の記憶内容を判定してカスタマイズ状態にあるか否かを判定しているが、カスタマイズ状態にある場合にさらにパラメータに応じてどのようなカスタマイズ内容であるかを示すコマンドをＰＣ２に返信してもよい。ＰＣ２では、カスタマイズの内容に応じて表示装置に記号や番号等で表示する。例えば、
「ＤＶ−Ｗ５８Ｅ＿０１」（ＤＶＤビデオの場合に再生速度の低下）
「ＤＶ−Ｗ５８Ｅ＿０２」（トレイ排出速度の調整）
「ＤＶ−Ｗ５８Ｅ＿０３」（記録速度の低下）
等である。
【００２７】
このように、本実施形態では、カスタマイズ用のパラメータがフラッシュＲＯＭ３３に記憶されており、ＰＣ２からの問い合わせコマンドを受信したときにフラッシュＲＯＭ３３の記憶内容に応じたコマンドを返信することでＰＣ２の表示装置に光ディスク装置１のカスタマイズ状態を表示することができる。
【００２８】
なお、本実施形態では、光ディスク装置１のマスタ／スレーブ切替用のピンを短絡し、イジェクトキーを操作することでカスタマイズ可能としているが、本発明はこれに限定されることなく任意の方法でカスタマイズすることができる。
【００２９】
さらに、本実施形態では、ＰＣ２の起動時の画面に光ディスク装置１がカスタマイズ済みであることを表示しているが、起動時以外においても表示することができる。例えば、ＰＣ２の起動後に画面の所定位置、例えば右下に光ディスク装置１のアイコンを表示する場合、デフォルト状態とカスタマイズ状態とで異なるアイコンとしてもよい。カスタマイズ状態ではアイコンを反転表示する、あるいはトレイ排出速度がカスタマイズされている場合にアイコンのトレイ部分のみを強調表示する等である。
【００３０】
【発明の効果】
以上説明したように、本発明によれば、光ディスク装置のカスタマイズの有無をユーザが容易に確認することができる。
【図面の簡単な説明】
【図１】実施形態のシステム構成図である。
【図２】光ディスク装置がカスタマイズされていない場合の表示画面説明図である。
【図３】光ディスク装置がカスタマイズ状態にある場合の表示画面説明図である。
【符号の説明】
１  光ディスク装置、２  パーソナルコンピュータ（ＰＣ）、３２  システムコントローラ。
【図１】
2004348915.tif 000003
【図２】
2004348915.tif 000004
【図３】
2004348915.tif 000005